【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
検証ステーションを具備する装置であって、
前記検証ステーションは、
入力インタフェースと、
ディスプレイを含む出力インタフェースと、
検証ステーション処理手段と、
前記検証ステーションをホストシステムおよび承認システムに接続する手段と、
を備え、
前記入力インタフェースは、マシン読み取り可能なトークンからのマシン読み取り可能なユーザ識別子および購買取引のためのマシン読み取り可能な取引識別子、のうち少なくとも一方のマシン読み取り可能な識別子を読み取り可能とされ、前記取引識別子の各々は、取引を識別するために前記ホストシステムにより生成されるユニークな取引識別子であり、
前記検証ステーション処理手段は、
１つ又は複数の購買取引に関連する税金還付を受けるための情報を前記検証ステーションに入力するよう前記ユーザに促す処理と、
前記検証ステーションにて読み取られた前記ユーザ識別子又は前記取引識別子を使って前記検証ステーションにおいて前記ユーザにより入力された情報に基づいて、前記ホストシステムの記憶システムに集中的に保存されたユーザ及び購買取引に関係する情報を更新する処理と、
前記ユーザを識別して１つ又は複数の購買についての税金還付を検証する検証要求メッセージ、を承認システムに送信する処理であって、適格性はユーザ関連情報から導き出される、当該送信する処理と、
前記承認システムから応答メッセージを受信する処理と、
前記１つ又は複数の購買に関連する還付が検証されたかどうかを、前記出力インタフェースを介して前記ユーザ向けに表示する処理と、
を、実行可能とされている、装置。
【請求項２】
前記検証ステーション処理手段が、前記検証ステーションにおいて前記ユーザによって入力された情報を保存情報と照合することによって、前記ユーザの身元を決定するように実行可能である、請求項１に記載の装置。
【請求項３】
前記検証ステーション処理手段が、１つ又は複数の購買取引に関連する税金還付を受けるために必要なユーザ詳細を完備するためのユーザ情報の入力を前記ユーザに促すように実行可能であり、
前記検証ステーションは、前記検証ステーションにて前記ユーザによって入力された情報に基づいて、前記ホストシステムの記憶システムに集中的に保存されたユーザ関係情報を更新するように実行可能である、請求項１又は２に記載の装置。
【請求項４】
前記検証ステーション処理手段が、１つ又は複数の購買取引に関連する取引識別子を含む購買取引情報の入力を前記ユーザに促すように実行可能であり、
前記検証ステーション処理手段は、前記検証ステーションにて前記ユーザによって入力された前記情報に基づいて、前記購買取引及び前記ユーザのうちの少なくとも一方に関係する情報を用いて、前記取引識別子によって識別される取引記録を、前記ホストシステムの記憶システムにて生成する又は更新するように、実行可能である、請求項１〜３のいずれか一項に記載の装置。
【請求項５】
前記検証ステーション処理手段が、購買取引又は前記ユーザに関連するデータにアクセスするためのセキュリティ情報の入力を前記ユーザに促すように実行可能である、請求項１〜４のいずれか一項に記載の装置。
【請求項６】
前記検証ステーション処理手段は、
前記ホストシステムの記憶システムから取り出された前記ユーザについての購買取引を、前記出力インタフェースを介して前記ユーザ向けに表示するように実行可能であり、
前記検証ステーション処理手段は、さらに、
前記購買取引の全部について又は前記ユーザに通知された前記購買取引の一部について還付が請求されていることを、前記入力インタフェースを介して確認するよう前記ユーザに促す処理、
還付の対象となると思われるさらなる購買取引を、前記入力インタフェースを介して入力するよう前記ユーザに促す処理、および、
前記ホストシステムの記憶システムから取り出された前記ユーザについてのすべての購買取引のステータスを、前記出力インタフェースを介して前記ユーザに通知する処理、
のうち１つ以上を実行可能とされている、請求項１〜５のいずれか一項に記載の装置。
【請求項７】
前記入力インタフェースが、キーパッド、キーボード、タッチセンシティブスクリーン、カードリーダ、機械により読取り可能なユーザ身分証明物のためのリーダ、スキャナ、音声作動入力、カメラ、バイオメトリック情報キャプチャ装置、のうちの１つ又は複数をさらに備え、
前記出力インタフェースが、ディスプレイ、プリンタ、カードライタ、スピーカ、のうちの１つ又は複数をさらに備える、
請求項１〜６のいずれか一項に記載の装置。
【請求項８】
前記装置は、ネットワークを介して前記検証ステーションに接続される前記承認システム、をさらに具備し、
前記承認システムが、
ユーザ識別子又は取引識別子のうちの一方を受け取るように構成された承認システム入力手段と、
前記ユーザ識別子若しくは取引識別子に関連する１つ若しくは複数の購買を識別する取引情報を保有する又は当該取引情報にアクセスする承認システムから、情報を獲得するように構成された承認システム処理手段と、
前記識別子に関連する前記ユーザと前記１つ若しくは複数の購買のうち一方又は両方についての詳細を職員に提示するように構成された出力インタフェースと、
を備える、請求項１〜７のいずれか一項に記載の装置。
【請求項９】
前記装置は、ユーザ及び購買取引に関係する情報を保有する記憶システム、をさらに具備し、
前記記憶システムが、ネットワークを介して前記検証ステーションに接続される、請求項１〜８のいずれか一項に記載の装置。
【請求項１０】
前記装置は、ネットワークを介して前記検証ステーションに接続される前記ホストシステム、を具備し、
前記ホストシステムが、
１つ又は複数の購買を識別する取引情報をトークン及び商店識別子と関連付けて保存するための前記記憶システムと、
商店システムからのトークンに関連付けられた１つ又は複数の購買を識別する取引情報に応答して、１つ又は複数の購買を識別する前記取引情報を前記トークン及び前記商店識別子と関連付けて保存するホストシステム処理手段であって、前記トークンに関連付けられた１つ又は複数の購買を識別する前記取引情報を承認システムに送信するように実行可能である、当該ホストシステム処理手段と、
を備える、請求項１〜９のいずれか一項に記載の装置。
【請求項１１】
前記装置は、ネットワークを介して前記検証ステーションに接続される前記商店システムを具備し、
前記商店システムが、
ユーザと１つ若しくは複数の購買のうち一方又は両方の詳細を識別するトークンを受け取るように構成された商店システム入力手段と、
取引メッセージを前記ホストシステムに送信するように実行可能である商店システム処理手段であって、前記取引メッセージが、トークン及び商店識別子に関連する１つ又は複数の購買を定義する、当該商店システム処理手段と、
を有する、請求項１０に記載の装置。
【請求項１２】
前記ホストシステム、前記承認システムおよび複数の前記検証ステーション、の間の通信インタフェースを形成するメッセージ交換機、
を具備する請求項１〜１１のいずれか一項に記載の装置。
【請求項１３】
リアルタイムメッセージングを処理する、請求項１〜１２のいずれか一項に記載の装置。
【請求項１４】
ユーザの身分証明物が、
パスポート番号、パスポート、身分証明書番号、身分証明書、入国証明書、運転免許証番号、運転免許証、ペイメントカード番号、ペイメントカード、カード払戻業者カード番号、カード払戻業者カード、ビジターカード番号、ビジターカード、ユーザ定義識別子、モバイルフォン番号、ＲＦＩＤチープベース一意識別子、本人証明文書のＯＣＲトラックのうちの１つである、請求項１〜１３のいずれか一項に記載の装置。
【請求項１５】
装置を用いて還付を処理する方法であり、コンピュータにより実行される当該方法であって、
検証ステーションの入力インタフェースによって、マシン読み取り可能なトークンからのマシン読み取り可能なユーザ識別子および購買取引のためのマシン読み取り可能な取引識別子、のうち少なくとも一方のマシン読み取り可能な識別子を読み取るステップであって、前記取引識別子の各々は、取引を識別するためにホストシステムにより生成されるユニークな取引識別子である、当該読み取るステップと、
１つ又は複数の購買取引に関連する税金還付を受けるための情報を前記検証ステーションに入力するようユーザに促すステップと、
前記検証ステーションにて読み取られた前記ユーザ識別子又は前記取引識別子を使って前記検証ステーションにおいて前記ユーザにより入力された情報に基づいて、前記ホストシステムの記憶システムに集中的に保存されたユーザ及び購買取引に関係する情報を更新するステップと、
前記ユーザを識別して１つ又は複数の購買についての税金還付を検証する検証要求メッセージを承認システムに送信するステップであって、適格性はユーザ関連情報から導き出される、当該送信するステップと、
前記承認システムから応答メッセージを受信するステップと、
前記１つ又は複数の購買に関連する還付が検証されたかどうかを、出力インタフェースを介して前記ユーザ向けに表示するステップと、
を含む、方法。